【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
核燃料アセンブリの移送および貯蔵のためのキャニスタであって、前記キャニスタは、キャニスタシェル内に受け取り可能なバスケットアセンブリを備え、
前記バスケットアセンブリは、
第１の方向に互に離間された並列関係に配置されている複数の相互係止構造プレートと、
前記第１の方向に対して横方向の第２の方向に配置されている複数の構造プレートと
を備え、
前記構造プレートは、前記構造プレートに沿って形成されている離間された横スロットを画定する部分を備え、前記第１の方向に配置されている前記構造プレートの前記スロットは、前記第２の横方向に配置されている前記構造プレートの前記スロットと係合し、
前記構造プレートは、構造材料から成る外側層と、熱伝導材料から成る少なくとも１つの内側層と、中性子吸収材料から成る少なくとも１つの内側層とを備えている複数の層から成る、キャニスタ。
【請求項２】
前記構造プレートの前記外側層は、前記構造プレートの前記内側層を封入するように形成されている、請求項１に記載のキャニスタ。
【請求項３】
前記プレートの層は、互に対面関係において一緒に締結されている、請求項１に記載のキャニスタ。
【請求項４】
細長い係止キーをさらに備え、前記細長い係止キーは、隣接する構造プレートの隣接する縁部分に沿って延び、前記隣接する構造プレートの隣接する縁部分と係合することにより、前記隣接する縁部分を一緒に係止し、前記構造プレートの前記隣接する縁部分を一緒に整列させる、請求項１に記載のキャニスタ。
【請求項５】
前記構造プレートの外部表面は、前記キャニスタ内に貯蔵されている燃料アセンブリからの放射熱伝達を向上させるように処理されている、請求項１に記載のキャニスタ。
【請求項６】
前記構造プレートは、前記構造プレートの乾燥を促進する疎水性コーティングで処理されている、請求項１に記載のキャニスタ。
【請求項７】
前記バスケットアセンブリの外側周縁において、前記キャニスタの縦方向に延び、前記構造プレートを相互接続する移行レールをさらに備えている、請求項１に記載のキャニスタ。
【請求項８】
核燃料アセンブリを含むキャニスタを貯蔵するための貯蔵モジュールであって、
前記貯蔵モジュールは、
コンクリート底壁、側壁、および上壁であって、前記モジュールは、自然対流による前記モジュールを通した空気流動が、前記核燃料アセンブリから放出される熱を放散させるように構成されている、コンクリート底壁、側壁、および上壁と、
前記モジュール内に配置され、前記キャニスタから前記モジュールを通して流動する空気に熱を伝達するために位置付けられている少なくとも１つの熱伝達構造と、
前記モジュール内に配置され、前記モジュールの内部を前記核燃料アセンブリから放出される熱から遮蔽する少なくとも１つの遮熱材と
を備えている、貯蔵モジュール。
【請求項９】
前記熱伝達構造は、前記モジュール内に配置されるフィンを備え、前記フィンは、前記キャニスタから前記モジュールを通って流動する空気に熱を伝達する、請求項８に記載の貯蔵モジュール。
【請求項１０】
前記熱伝達構造は、搭載構造をさらに備え、前記搭載構造は、前記貯蔵キャニスタが前記モジュール内に挿入されるとき、前記貯蔵キャニスタに対して隙間を提供するように前記フィンを前記モジュール内に搭載し、次いで、前記貯蔵キャニスタが前記モジュール内に設置されると、前記フィンを前記貯蔵キャニスタに対して設置する、請求項９に記載の貯蔵モジュール。
【請求項１１】
前記フィンは、変形可能内側面部分を有し、前記変形可能内側面部分は、前記キャニスタが前記貯蔵モジュール内に挿入される場合、前記キャニスタを押し、前記キャニスタが前記貯蔵モジュール内の定位置に設置されると、前記キャニスタを押し続ける、請求項９に記載の貯蔵モジュール。
【請求項１２】
前記遮熱材構造および／または熱伝達構造は、前記モジュールの側壁、上壁、および底壁のうちの１つ以上に沿って延びる障壁構造を含み、前記障壁構造は、前記モジュールの対応する壁から離間されるように前記モジュールに搭載され、前記貯蔵キャニスタから放出される熱が前記モジュールの壁に到達するための障害としての役割を果たし、かつ、前記貯蔵キャニスタからの熱を、前記モジュールを通って流動する空気に伝達する、請求項８に記載の貯蔵モジュール。
【請求項１３】
前記キャニスタに面する前記熱障壁構造の表面は、前記キャニスタ表面から前記障壁構造への放射熱伝達を増加させるための高放射率表面処理またはコーティングで処理されている、請求項８に記載の貯蔵モジュール。
【請求項１４】
核燃料アセンブリを移送および貯蔵するためのキャニスタのための単一ポートツールであって、前記単一ポートアセンブリは、前記キャニスタから水を排出し、前記排出された水を補給ガスと交換するために、前記キャニスタの内部と流体流連通する、単一ポートツール。
【請求項１５】
（ａ）前記キャニスタ内に形成されている単一開口部と、
（ｂ）前記キャニスタ内の前記開口部の中に挿入可能な遮蔽プラグであって、前記遮蔽プラグは、前記キャニスタの内部と流体流連通し、前記キャニスタから水を排出するための前記遮蔽プラグを通る排出管を受け取るために、前記遮蔽プラグを通る第１の通路を有し、前記遮蔽プラグは、補給ガスを受け取り、そのような補給ガスを前記貯蔵キャニスタの内部に向けるための前記遮蔽プラグを通る第２の開口部を含む、遮蔽プラグと
を備えている、請求項１４に記載の単一ポートツール。
【手続補正２】
【補正対象書類名】明細書
【補正対象項目名】００２０
【補正方法】変更
【補正の内容】
【００２０】
本開示のさらなる側面では、キャニスタは、筐体およびカバーを有し、単一ポートは、単一ポートツールの受け取りのために、キャニスタのカバー内に形成される。
本願明細書は、例えば、以下の項目も提供する。
（項目１）
核燃料アセンブリの移送および貯蔵のためのキャニスタであって、前記キャニスタは、キャニスタシェル内に受け取り可能なバスケットアセンブリを備え、
前記バスケットアセンブリは、
第１の方向に互に離間された並列関係に配置されている複数の相互係止構造プレートと、
前記第１の方向に対して横方向の第２の方向に配置されている複数の構造プレートと
を備え、
前記構造プレートは、前記構造プレートに沿って形成されている離間された横スロットを画定する部分を備え、前記第１の方向に配置されている前記構造プレートの前記スロットは、前記第２の横方向に配置されている前記構造プレートの前記スロットと係合し、
前記構造プレートは、構造材料から成る外側層と、熱伝導材料から成る少なくとも１つの内側層と、中性子吸収材料から成る少なくとも１つの内側層とを備えている複数の層から成る、キャニスタ。
（項目２）
前記構造プレートの前記外側層は、前記構造プレートの前記内側層を封入するように形成されている、項目１に記載のキャニスタ。
（項目３）
前記構造プレートの前記外側層のうちの少なくとも１つの辺縁は、前記内側層の縁を覆って延び、前記構造プレートの反対側の前記外側層に接合されている、項目２に記載のキャニスタ。
（項目４）
前記外側層は、高強度鋼、低合金鋼、高強度低合金鋼、炭素鋼、ステンレス鋼から成る群から選択される材料から成る、項目１に記載のキャニスタ。
（項目５）
前記熱伝導層は、アルミニウムおよび銅から成る群から選択される少なくとも１つの材料から成る、項目１に記載のキャニスタ。
（項目６）
前記構造プレートの中性子吸収層は、熱中性子を吸収する要素を含む、金属、セラミック、または複合材である、項目１に記載のキャニスタ。
（項目７）
前記プレートの層は、互に対面関係において一緒に締結されている、項目１に記載のキャニスタ。
（項目８）
前記構造プレートの層は、ねじ山付き締結具、リベット、および溶接ピンから成る群から選択される締結具によって一緒に締結されている、項目７に記載のキャニスタ。
（項目９）
細長い係止キーをさらに備え、前記細長い係止キーは、隣接する構造プレートの隣接する縁部分に沿って延び、前記隣接する構造プレートの隣接する縁部分と係合することにより、前記隣接する縁部分を一緒に係止し、前記構造プレートの前記隣接する縁部分を一緒に整列させる、項目１に記載のキャニスタ。
（項目１０）
前記構造プレートの縁部分に沿って溝が形成され、前記溝は、前記係止キーをその中に密接に受け取るためのサイズを有し、前記係止キーは、前記隣接する構造プレートの前記隣接する縁部分の前記溝内に密接に受け取り可能である、項目９に記載のキャニスタ。
（項目１１）
前記構造プレート内に貫通孔が形成され、それによって、前記係止キーは、前記係止キーの長さに対して横方向に延びている前記構造プレートの前記貫通孔を通過する、項目９に記載のキャニスタ。
（項目１２）
前記構造プレートの前記外部表面は、前記キャニスタ内に貯蔵されている燃料アセンブリからの放射熱伝達を向上させるように処理されている、項目１に記載のキャニスタ。
（項目１３）
前記構造プレートは、前記構造プレートの乾燥を促進する疎水性コーティングで処理されている、項目１に記載のキャニスタ。
（項目１４）
前記バスケットアセンブリの外側周縁において、前記キャニスタの縦方向に延び、前記構造プレートを相互接続する移行レールをさらに備えている、項目１に記載のキャニスタ。
（項目１５）
前記移行レールは、前記移行レールの長さに対して横の外側湾曲を有し、前記外側湾曲は、前記キャニスタの円周に対応している、項目１４に記載のキャニスタ。
（項目１６）
前記移行レールは、少なくとも部分的に中空であり、前記中空は、前記移行レールの前記中空内部内に係合可能な補強構造を受け取り、前記補強構造は、前記移行レールの構造完全性および剛性を高める、項目１５に記載のキャニスタ。
（項目１７）
核燃料アセンブリを含むキャニスタを貯蔵するための貯蔵モジュールであって、
前記貯蔵モジュールは、
コンクリート底壁、側壁、および上壁であって、前記モジュールは、自然対流による前記モジュールを通した空気流動が、前記核燃料アセンブリから放出される熱を放散させるように構成されている、コンクリート底壁、側壁、および上壁と、
前記モジュール内に配置され、前記キャニスタから前記モジュールを通して流動する空気に熱を伝達するために位置付けられている少なくとも１つの熱伝達構造と、
前記モジュール内に配置され、前記モジュールの内部を前記核燃料アセンブリから放出される熱から遮蔽する少なくとも１つの遮熱材と
を備えている、貯蔵モジュール。
（項目１８）
前記モジュールの前記コンクリート底壁、上壁、および側壁は、コンクリートと前記コンクリートを補強する役割を果たす金属繊維との混合物から成る、項目１７に記載のキャニスタ貯蔵モジュール。
（項目１９）
前記金属繊維は、鋼鉄繊維、ガラス繊維、および炭素繊維から成る群から選択される、項目１８に記載のキャニスタ貯蔵モジュール。
（項目２０）
前記熱伝達構造は、前記モジュール内に配置されるフィンを備え、前記フィンは、前記キャニスタから前記モジュールを通って流動する空気に熱を伝達する、項目１７に記載のキャニスタ貯蔵モジュール。
（項目２１）
前記熱伝達構造は、搭載構造をさらに備え、前記搭載構造は、前記貯蔵キャニスタが前記モジュール内に挿入されるとき、前記貯蔵キャニスタに対して隙間を提供するように前記フィンを前記モジュール内に搭載し、次いで、前記貯蔵キャニスタが前記モジュール内に設置されると、前記フィンを前記貯蔵キャニスタに対して設置する、項目２０に記載のキャニスタ貯蔵モジュール。
（項目２２）
前記搭載構造は、前記フィンを前記モジュール内にヒンジ接続で搭載し、前記フィンは、前記キャニスタが前記モジュール内に設置されると、前記キャニスタと係合するように回転する、項目２１に記載のキャニスタ貯蔵モジュール。
（項目２３）
前記フィンのための搭載構造は、前記貯蔵キャニスタが前記モジュール内に設置されるとき、前記貯蔵キャニスタから離間した初期場所に前記フィンを搭載し、次いで、前記貯蔵キャニスタが前記モジュール内に設置されると、前記フィンを前進させ、前記貯蔵キャニスタに対して支承させる、項目２１に記載のキャニスタ貯蔵モジュール。
（項目２４）
前記フィンは、変形可能内側面部分を有し、前記変形可能内側面部分は、前記キャニスタが前記貯蔵モジュール内に挿入される場合、前記キャニスタを押し、前記キャニスタが前記貯蔵モジュール内の定位置に設置されると、前記キャニスタを押し続ける、項目２０に記載のキャニスタ貯蔵モジュール。
（項目２５）
前記遮熱材構造および／または熱伝達構造は、前記モジュールの側壁、上壁、および底壁のうちの１つ以上に沿って延びる障壁構造を含み、前記障壁構造は、前記モジュールの対応する壁から離間されるように前記モジュールに搭載され、前記貯蔵キャニスタから放出される熱が前記モジュールの壁に到達するための障害としての役割を果たし、かつ、前記貯蔵キャニスタからの熱を、前記モジュールを通って流動する空気に伝達する、項目１７に記載のキャニスタ貯蔵モジュール。
（項目２６）
前記熱障壁構造は、前記プレート構造、波形壁構造、および管状壁構造から成る群から選択される構造である、項目２５に記載のキャニスタ貯蔵モジュール。
（項目２７）
前記キャニスタに面する前記熱障壁構造の表面は、前記キャニスタ表面から前記障壁構造への放射熱伝達を増加させるための高放射率表面処理またはコーティングで処理されている、項目１７に記載のキャニスタ貯蔵モジュール。
（項目２８）
核燃料アセンブリを移送および貯蔵するためのキャニスタのための単一ポートツールであって、前記単一ポートアセンブリは、前記キャニスタから水を排出し、前記排出された水を補給ガスと交換するために、前記キャニスタの内部と流体流連通する、単一ポートツール。
（項目２９）
（ａ）前記キャニスタ内に形成されている単一開口部と、
（ｂ）前記キャニスタ内の前記開口部の中に挿入可能な遮蔽プラグであって、前記遮蔽プラグは、前記キャニスタの内部と流体流連通し、前記キャニスタから水を排出するための前記遮蔽プラグを通る排出管を受け取るために、前記遮蔽プラグを通る第１の通路を有し、前記遮蔽プラグは、補給ガスを受け取り、そのような補給ガスを前記貯蔵キャニスタの内部に向けるための前記遮蔽プラグを通る第２の開口部を含む、遮蔽プラグと
を備えている、項目２８に記載の単一ポートツール。
（項目３０）
前記キャニスタは、筐体と、前記筐体を閉鎖するためのカバーとを有し、単一ポートが、前記キャニスタのカバー内に形成されている、項目２９に記載の単一ポートツール。
（項目３１）
前記遮蔽プラグは、鋼鉄、鉛、タングステン、および劣化ウランから成る群から選択される材料から成る、項目２９に記載の単一ポートツール。
（項目３２）
前記遮蔽プラグ内の前記第１の開口部と固定して係合されている固定管をさらに備え、前記固定管は、前記キャニスタから流体を排出するために、前記キャニスタの内部に延びている、項目２９に記載の単一ポートツール。
（項目３３）
前記遮蔽プラグの前記第１の開口部は、真空源に接続可能な真空乾燥アダプタを受け取るように構成されている、項目２９に記載の単一ポートツール。
（項目３４）
前記キャニスタは、筐体およびカバーを含み、前記単一ポートアセンブリは、前記カバー内に配置されている、項目２８に記載の単一ポートツール。
（項目３５）
前記キャニスタに固定されたカップと、
流体ラインを前記カップに取り付けるために、前記カップと係合されたすぐに取り外しできる接続と
をさらに備えている、項目２８に記載の単一ポートツール。